(57)【要約】【課題】トイレブースを構成する正面パネル側端の戸当りエッジ下端に取付ける足切り防止部材であって、スペーサーを用いることなく吊元側と戸先側に共用して取付けられる足切り防止部材の提供。【解決手段】戸当りエッジの下端形状とほぼ同じ外形を有す受け１と、該受け１から垂直に起立する第１脚２を設け、この第１脚２には繋ぎ５を介して第２脚３を折畳み出来るように連結している。【選択図】　　　　図１
2004116169.tif 000002
【特許請求の範囲】
【請求項１】
トイレブースを構成する正面パネル側端の戸当りエッジ下端に取付ける足切り防止部材において、上記戸当りエッジの下端形状とほぼ同じ外形を有す受けと該受けから垂直に起立する第１脚を設け、該第１脚には繋ぎを介して第２脚を折畳み出来るように連結したことを特徴とするトイレブースの戸当りエッジ下端に設ける足切り防止部材。
【請求項２】
上記第２脚に形成したネジ穴の位置を、第２脚を折畳んで第１脚に重ね合わせた際に、第１脚のネジ穴に一致するように設けた請求項１記載のトイレブースの戸当りエッジ下端に設ける足切り防止部材。
【請求項３】
上記第１脚の正面にリブを突出して設けた請求項１、又は請求項２記載のトイレブースの戸当りエッジ下端に設ける足切り防止部材。
【請求項４】
トイレブースを構成する正面パネル側端の戸当りエッジ下端に足切り防止部材を取付ける構造において、足切り防止部材は上記戸当りエッジの下端形状とほぼ同じ外形を有す受けと該受けから垂直に起立する第１脚を設け、該第１脚には繋ぎを介して第２脚を折畳み出来るように連結した形態とし、ドアパネルが取付けられるヒンジ側では、第２脚を折畳むことなく引き延ばした状態でヒンジのブラケットの取付け部に重ねてネジ止めしたことを特徴とする
足切り防止部材の取付け構造。
【請求項５】
トイレブースを構成する正面パネル側端の戸当りエッジ下端に足切り防止部材を取付ける構造において、足切り防止部材は上記戸当りエッジの下端形状とほぼ同じ外形を有す受けと該受けから垂直に起立する第１脚を設け、該第１脚には繋ぎを介して第２脚を折畳み出来るように連結した形態とし、ドアパネルの戸先側では、第２脚を折畳んで第１脚と重ね合わせた状態でパネル側端に形成した切込み溝部にネジ止めしたことを特徴とする足切り防止部材の取付け構造。
【発明の詳細な説明】
【０００１】
【発明の属する技術分野】
本発明はトイレブースにおいて、正面パネルの戸当りエッジ下端に取付ける足切り防止部材及びこれの取付け構造に関するものである。
【０００２】
【従来の技術】
ヒンジを介して開閉するトイレブースのドアパネル側端にはドアエッジが取付けられている。同じく正面パネルの側端となる戸当りには戸当りエッジが取着されている。これらドアエッジ及び戸当りエッジはパネル側端をカバーして外観を向上させると共に、接してもケガをしないように考慮したもので、その形状は一般に丸みを持っている。
【０００３】
図５はトイレブースのドアパネル側端及び正面パネルの側端に取付けられている従来のドアエッジ（イ）及び戸当りエッジ（ニ）を示している。同図から明らかなように、ドアエッジ（イ）は概略半円弧状断面の長尺材であり、該ドアエッジ（イ）はドアパネル（ロ）の側端にビス止めされている。このエッジはドアパネル（ロ）に限らず正面パネル（ハ）にも戸当りエッジ（ニ）として取付けられ、該戸当りエッジ（ニ）もビス止めされている。
【０００４】
上記ドアエッジ（イ）及び戸当りエッジ（ニ）をこのようにビス止めする場合、ビス（ホ）の頭が各エッジの表面から僅かに突出することがある。これはビス（ホ）を傾けて螺合した場合や、ドアパネル（ロ）の開閉に伴う衝撃によって緩み、その結果、頭が突出することが多い。該ドアエッジ（イ）及び戸当りエッジ（ニ）からビス（ホ）の頭が突出しているならば、衣服が頭に引っ掛かって破くことがある。特にトイレのドアは入口が狭いこともあり、僅かに突出したビス頭に引っ掛かるケースが多い。
【０００５】
そこで出願人は平成６年６月２９日付けで「ドアエッジ取付け構造及びエッジ受」に関して特許出願を行い、上記問題点を解決している（特許第３０５２１１３号）。このドアエッジ取付け構造は「ドアパネル側端は平坦面としてエッジ受け（ヘ）を固定し、エッジ受け（ヘ）に戸当りエッジ（ニ）を取付けするものであり、エッジ受け（ヘ）は基体の一方側に嵌合溝を有し、他方側には上記基体との間に空間を設けて係止部を有す脚を形成し、戸当りエッジ（ニ）はその一方側に嵌入片を内側に向けて形成し、反対側には同じく係止片を内側に向けて形成し、上記嵌入片を嵌合溝に嵌入し、係止片を脚の係止部に係止して取付ける構造としている。」
【０００６】
図６は上記エッジ受け（ヘ）を介して戸当りエッジ（ニ）を取付けた場合を示している。そこで、エッジ受け（ヘ）、（ヘ）を正面パネル（ハ）の上下側端面にネジ止めし、戸当りエッジ（ニ）は両エッジ受け（ヘ）、（ヘ）に係止して取付けられることで、戸当りエッジ（ニ）の表面にネジ頭が露出することはない。又、特開２００２−１０６０９１に係る「トイレブースにおけるパネルエッジの取付け構造」のように、パネルエッジを本体とカバー材の２ピース構造とすることでネジ頭が表面に露出しないようにすることも出来る。
【０００７】
ところで、トイレブースのドアパネル（ロ）及び正面パネル（ハ）の側端には、上記ドアエッジ（イ）及び戸当りエッジが取付けられることで、外観が向上すると共に角部に当たってもケガしないように考慮されている。その為に、各ドアエッジ（イ）及び戸当りエッジ（ニ）は丸みを持って形成されている。しかし、その下端は切断されて角張っている為に接するとケガをする。そこで、普通は足切り防止部材（ヌ）がドアエッジ下端及び戸当りエッジ下端に取付けられていて、足が接してもケガをしないように成っている。
【０００８】
図７は従来の足切り防止部材（ヌ）を示しているが、受け（ト）から脚（チ）が起立した形状とし、該受け（ト）は戸当りエッジ（ニ）の断面形状とほぼ同じになっている。該足切り防止部材（ヌ）の脚（チ）は正面パネル（ハ）の側端にネジ止めされるが、吊元側にはドアパネル（ロ）を開閉可能に取付けるヒンジ（リ）が設けられ、該ヒンジ（リ）のＬ型ブラケットの取付け部（ル）がネジ止めされる。
【０００９】
上記Ｌ型ブラケットの取付け部（ル）は正面パネル（ハ）の側端に形成した切込み溝（オ）に嵌って取付けられ、そしてスペーサ（ワ）を介在して上記足切り防止部材（ヌ）がネジ止めされている。又、戸先側の正面パネル（ハ）ではヒンジ（リ）が不要である為に、切込み溝（オ）には厚いスペーサ（カ）を嵌めて足切り防止部材（ヌ）がネジ止めされている。このように、足切り防止部材（ヌ）の取付けに際して、厚さの違うスペーサ（ワ），（カ）を用いてネジしなくてはならず、取付け作業も面倒であると同時に、厚さが違うスペーサ（ワ）、（カ）の管理が容易でない。
【００１０】
【発明が解決しようとする課題】
このように、従来のトイレブースの足切り防止部材には上記のごとき問題がある。本発明が解決しようとする課題はこれら問題点であり、上記スペーサを用いることなく簡単に取付ける出来る足切り防止部材及び該足切り防止部材の取付け構造を提供する。
【００１１】
【課題を解決する為の手段】
本発明の足切り防止部材は、基本的な形状は従来と同じであり、受けと脚とで構成し、脚は受けから垂直に起立している。受けは正面パネルに取付けられる戸当りエッジの外形形状とほぼ同じであり、該戸当りエッジの下端に当接することで、角部をカバーすることが出来る。そして、脚は正面パネルの側端にネジ止めされて取付けられる。
【００１２】
ところで、本発明の足切り防止部材の脚は第１脚と第２脚から成り、第２脚は折畳まれて第１脚に重なり合うことが出来る。その為に、第１脚と第２脚との間には切込みが形成されて薄くなっている。すなわち、一種の繋ぎが形成されて、第２脚が連結した状態にある。ここで、第２脚の厚さはヒンジのＬ型ブラケットの取付け部の厚さ寸法と成っている。
【００１３】
そこで、ヒンジ側では第２脚を延ばした状態で足切り防止部材をネジ止めし、戸先側では第２脚を折畳んだ状態で足切り防止部材をネジ止めする。第２脚がＬ型ブラケットの取付け部の代わりになる為に、スペーサを用いる必要はなくなる。以下、本発明に係る実施例を図面に基づいて詳細に説明する。
【００１４】
【実施例】
図１、図２は本発明の足切り防止部材を示す実施例であり、１は受け、２は第１脚、３は第２脚を夫々表し、図１は第２脚３が第１脚２と共に垂直に起立している場合、図２は第２脚３が折畳まれて第１脚２と重なり合っている場合を示している。
【００１５】
受け１は戸当りエッジの下端に当って角部をカバーする訳であり、その為に該受け１の形状は戸当りエッジの下端面形状とほぼ同じに成っている。そして、該受け１からは第１脚２が垂直に起立し、第１脚２には第２脚３が連結している。
図１では、第２脚３は第１脚２と共に垂直に起立しているが、図２に示すように折畳むことが出来る。
【００１６】
そこで、第１脚２と第２脚３との間にはＶ型断面の切込み４が設けられて、肉厚の薄い繋ぎ５が形成されている。該繋ぎ５を介して第２脚３は折畳まれて、図２のように第１脚２に重なり合う。そして、第１脚２にはネジが挿通するネジ穴６が貫通して設けられ、又第２脚３にもネジ穴７が貫通して形成されている。第２脚３のネジ穴７は、図２のように折畳まれた場合に、同一位置に成って連続した貫通穴となるように、位置決めされている。
【００１７】
又、第１脚２の正面には三角形断面のリブ８が突出して水平に設けられ、その為に第１脚２の剛性が高くなって、曲げや捻りの変形を防止することが出来る。図３はヒンジのない戸先側の正面パネル側端部下端に取付けた場合を示している。
同図に示す戸当りエッジは２ピース構造とし、本体９とカバー材１０から成っている。
【００１８】
本体９は概略凹型断面をした長尺材であって、この凹部１１にカバー材１０が嵌っている。本体９は凹部１１の底１２が正面パネル側端に当接してビス止めされ、そして凹部１１の内側である一方側には嵌合溝１３が、反対側には係止部１４が設けられている。又本体９の両側には側片１５，１５が延び、その先端は正面パネルの表面に接している。
【００１９】
そこで、カバー材１０は概略コ型断面をした長尺材であり、両側に脚片１６ａ，１６ｂが設けられ、一方の脚片１６ａの先端には係止片１７が外側に形成され、反対側の脚片１６ｂには嵌入片１８が外方向へ延びている。嵌入片１８は本体凹部１１の嵌合溝１３に嵌り、係止片１７は係止部１４に係止して該カバー材１０は取付けられている。従って、カバー材１０は本体凹部１１に着脱可能となっていて、取付けられたカバー材１０の表面は本体９と連続した滑らかな曲面を形成している。
【００２０】
ところで、本体９の凹部１１の底１２には本発明の足切り防止部材が取付けされることに成るが、図２に示しているように、第２脚３は折畳まれて第１脚２と重なり合った状態でネジ止めされる。第２脚３を折畳んだ状態では、第２脚３に形成しているネジ穴７は、第１脚２のネジ穴６に一致する為に、折畳んだ状態でネジ止めすることが可能である。
【００２１】
受け１は戸当りエッジ本体９の下端に当接して取付けられ、その後カバー材１０が凹部１１に嵌って取付けられる。カバー材１０は受け１に載って滑り落ちることはなく、又第１脚２に設けたリブ８に当接して底１２との間で第１脚２と第２脚３を挟み込むことになる。
【００２２】
図４はヒンジ側の戸当りエッジ下端に取付けた足切り防止部材を示している。該ヒンジのＬ型ブラケット１９の取付け部２０は戸当りエッジ本体９の底１２にネジ止めされるが、第２脚３は折畳まれることなく、図１に示すように延ばした状態で取付け部２０に重ねてネジ止めされる。取付け部２０は第２脚３と同じ厚さと成っている為に、受け１の位置は図３の場合と同じになる。従って、戸当りエッジの下端に受け１が位置して、該戸当りエッジの下端角部をカバーすることが出来る。
【００２３】
以上述べたように、本発明に係る足切り防止部材は受けから垂直に起立する第１脚に繋ぎを介して第２脚を連結し、戸先側では第２脚を折畳んだ状態で正面パネル側端に取付け可能としたものであり、次ぎのような効果を得ることが出来る。
【００２４】
【発明の効果】
本発明の足切り防止部材は、その脚が第１脚と第２脚から成り、第２脚は折畳まれて第１脚に重なり合うことが出来る。従って、ヒンジを設ける吊元側に位置する正面パネル側端の戸当りエッジ下端に取付ける足切り防止部材は、第２脚を折畳むことなく延ばした状態でＬ型ブラケットの取付け部に重ねてネジ止めすることが出来る。
【００２５】
一方、戸先側に位置する正面パネル側端の戸当りエッジ下端に取付ける足切り防止部材は、第２脚を折畳んで第１脚に重ね合わせた状態でネジ止めする。第２脚の厚さはＬ型ブラケットの取付け部の暑さと同じ寸法である為に、第２脚を折畳んで取付けることで、受けは同じ位置に位置し、戸当りエッジの下端に当接して角部をカバー出来る。従って、従来のようなスペーサを必要とせず、足切り防止部材の取付けは簡単である。
【００２６】
一方、第１脚の正面にリブを突出して設けるならば、第１脚の剛性は向上して曲げや捻り変形を防止でき、また、戸当りエッジを本体とカバー材の２ピース構造とした際に、カバー材を本体に取付けることでリブに当るようにすることが出来、足切り防止部材の脚を本体底とカバー材にて挟み込んで安定させることが可能と成る。
【図面の簡単な説明】
【図１】第２脚を延ばした足切り防止部材の実施例。
【図２】第２脚を折畳んだ足切り防止部材の実施例。
【図３】戸先側に位置する正面パネル側端の戸当りエッジ下端に取付けた足切り防止部材。
【図４】ヒンジを備えた吊元側に位置する正面パネル側端の戸当りエッジ下端に取付けた足切り防止部材。
【図５】従来のパネルエッジ取付け構造。
【図６】従来の足切り防止部材の取付け構造。
【図７】従来の足切り防止部材。
【符号の説明】
１　受け
２　第１脚
３　第２脚
４　切込み
５　繋ぎ
６　ネジ穴
７　ネジ穴
８　リブ
９　本体
１０　カバー材
１１　凹部
１２　底
１３　嵌合溝
１４　係止部
１５　側片
１６　脚片
１７　係止片
１８　嵌入片
１９　Ｌ型ブラケット
２０　　取付け
【図１】
2004116169.tif 000003
【図２】
2004116169.tif 000004
【図３】
2004116169.tif 000005
【図４】
2004116169.tif 000006
【図５】
2004116169.tif 000007
【図６】
2004116169.tif 000008
【図７】
2004116169.tif 000009